(57)【要約】【課題】電圧の入力を絶縁可能な小型で安価なアイソレータを提供する。【解決手段】本発明の一側面に係るアイソレータは、発光素子及び受光素子を備える第１フォトカプラであって、当該発光素子に入力信号が入力されるよう構成された第１フォトカプラと、入力端子及び出力端子を備えるオペアンプであって、前記第１フォトカプラの前記受光素子が当該入力端子に接続されるように構成されたオペアンプと、発光素子及び受光素子を備える第２フォトカプラであって、前記第１フォトカプラの前記受光素子が当該受光素子に接続され、前記オペアンプの出力端子が当該発光素子に接続され、当該発光素子から出力信号が出力されるように構成された第２フォトカプラと、を備える。【選択図】図１
2019022042.tif 000002
【特許請求の範囲】
【請求項１】
発光素子及び受光素子を備える第１フォトカプラであって、当該発光素子に入力信号が入力されるよう構成された第１フォトカプラと、
入力端子及び出力端子を備えるオペアンプであって、前記第１フォトカプラの前記受光素子が当該入力端子に接続されるように構成されたオペアンプと、
発光素子及び受光素子を備える第２フォトカプラであって、前記第１フォトカプラの前記受光素子が当該受光素子に接続され、前記オペアンプの出力端子が当該発光素子に接続され、当該発光素子から出力信号が出力されるように構成された第２フォトカプラと、
を備える、
アイソレータ。
【請求項２】
第１回路部と、
第２回路部と、
前記第１回路部からの出力信号及び前記第２回路部からの出力信号を合成するように構成された合成回路部と、
を備え、
前記第１回路部及び前記第２回路部はそれぞれ、
発光素子及び受光素子を備える第１フォトカプラと、
入力端子及び出力端子を備えるオペアンプであって、前記第１フォトカプラの前記受光素子が当該入力端子に接続されるように構成されたオペアンプと、
発光素子及び受光素子を備える第２フォトカプラであって、前記第１フォトカプラの前記受光素子が当該受光素子に接続され、前記オペアンプの出力端子が当該発光素子に接続され、当該発光素子から出力信号が出力されるように構成された第２フォトカプラと、
を備え、
前記第１回路部及び前記第２回路部の前記各第１フォトカプラの前記発光素子には、入力信号が互いに反転して入力されるように構成された、
アイソレータ。
【請求項３】
前記合成回路部は、オペアンプにより構成された、
請求項２に記載のアイソレータ。
【発明の詳細な説明】
【技術分野】
【０００１】
本発明は、アイソレータに関する。
【背景技術】
【０００２】
一般的に、計測システム等の電子回路内で入力信号と出力信号との間を直流的に絶縁する際には、アイソレータ（「信号変換器」とも称される）が用いられる。アイソレータは、組み込まれた電子回路内で、信号の回り込み防止、計器の保護、ノイズの低減などの様々な役割を果たす（例えば、特許文献１）。
【先行技術文献】
【特許文献】
【０００３】
【特許文献１】特開２０１６−０１５３９３号公報
【発明の概要】
【発明が解決しようとする課題】
【０００４】
従来のアイソレータには、主に、電圧変成器（ＰＴ）及び絶縁アンプの２種類が存在する。電圧変成器は、電気信号を変換するための鉄心を有しており、大型であり、電子基盤等に搭載するのが困難であるという問題点があった。また、絶縁アンプは、チャンネルごとに独立した電源を有する等の理由により高価であるという問題点があった。
【０００５】
本発明は、一側面では、このような実情を鑑みてなされたものであり、その目的は、電圧の入力を絶縁可能な小型で安価なアイソレータを提供することである。
【課題を解決するための手段】
【０００６】
本発明は、上述した課題を解決するために、以下の構成を採用する。
【０００７】
すなわち、本発明の一側面に係るアイソレータは、発光素子及び受光素子を備える第１フォトカプラであって、当該発光素子に入力信号が入力されるよう構成された第１フォトカプラと、入力端子及び出力端子を備えるオペアンプであって、前記第１フォトカプラの前記受光素子が当該入力端子に接続されるように構成されたオペアンプと、発光素子及び受光素子を備える第２フォトカプラであって、前記第１フォトカプラの前記受光素子が当該受光素子に接続され、前記オペアンプの出力端子が当該発光素子に接続され、当該発光素子から出力信号が出力されるように構成された第２フォトカプラと、を備える。
【０００８】
当該構成に係るアイソレータでは、第１フォトカプラの受光素子が、オペアンプの入力端子と第２フォトカプラの受光素子とに接続され、オペアンプの出力端子が、第２フォトカプラの発光素子に接続されている。これにより、第１フォトカプラの発光素子に入力信号を入力した際には、オペアンプの仮想短絡の動作により、第１フォトカプラの受光素子と第２フォトカプラの受光素子とを均衡させるため、第２フォトカプラの発光素子側に第１フォトカプラの入力信号と同じ電流が流れる。すなわち、２つのフォトカプラ及びオペアンプの作用により、電圧の入力を絶縁しつつ、第２フォトカプラの発光素子側から第１フォトカプラの発光素子に順方向の入力信号と同じ出力信号を得ることができる。また、２つのフォトカプラの受光素子同士を接続することで、互いの特性を打ち消し合うように各フォトカプラを動作させることができる。そのため、中間の伝達特性を原理的に無視することができ、出力信号に生じ得る波形のひずみ及び温度ドリフトの影響を低減することができる。更に、フォトカプラは非常に小型で安価な素子であるため、当該構成に係るアイソレータは、安価に作製することができ、かつ電子基盤等に搭載可能な程度に小型化することができる。したがって、当該構成によれば、電圧の入力を絶縁可能な小型で安価なアイソレータを提供することができる。
【０００９】
また、本発明の一側面に係るアイソレータは、第１回路部と、第２回路部と、前記第１回路部からの出力信号及び前記第２回路部からの出力信号を合成するように構成された合成回路部と、を備え、前記第１回路部及び前記第２回路部はそれぞれ、発光素子及び受光素子を備える第１フォトカプラと、入力端子及び出力端子を備えるオペアンプであって、前記第１フォトカプラの前記受光素子が当該入力端子に接続されるように構成されたオペアンプと、発光素子及び受光素子を備える第２フォトカプラであって、前記第１フォトカプラの前記受光素子が当該受光素子に接続され、前記オペアンプの出力端子が当該発光素子に接続され、当該発光素子から出力信号が出力されるように構成された第２フォトカプラと、を備え、前記第１回路部及び前記第２回路部の前記各第１フォトカプラの前記発光素子には、入力信号が互いに反転して入力されるように構成される。当該構成によれば、交流源の電圧を絶縁可能な小型で安価なアイソレータを提供することができる。
【００１０】
上記一側面に係るアイソレータにおいて、前記合成回路部は、オペアンプにより構成されてよい。
【発明の効果】
【００１１】
本発明によれば、電圧の入力を絶縁可能な小型で安価なアイソレータを提供することができる。
【図面の簡単な説明】
【００１２】
【図１】図１は、第１実施形態に係るアイソレータの構成の一例を例示する。
【図２】図２は、第２実施形態に係るアイソレータの構成の一例を例示する。
【図３Ａ】図３Ａは、実施例の出力特性（出力電圧）の測定結果を示す。
【図３Ｂ】図３Ｂは、実施例の出力特性（出力変換誤差）の測定結果を示す。
【図４Ａ】図４Ａは、実施例の温度特性（出力電圧）の測定結果を示す。
【図４Ｂ】図４Ｂは、実施例の温度特性（出力変換誤差）の測定結果を示す。
【発明を実施するための形態】
【００１３】
以下、本発明の一側面に係る実施形態を、図面に基づいて説明する。ただし、以下で説明する実施形態は、あらゆる点において本発明の例示に過ぎない。本発明の範囲を逸脱することなく種々の改良や変形を行うことができることは言うまでもない。つまり、本発明の実施にあたって、実施形態に応じた具体的構成が適宜採用されてもよい。
【００１４】
§１  第１実施形態
まず、図１を用いて、第１実施形態に係るアイソレータ１の構成について説明する。図１は、第１実施形態に係るアイソレータ１の構成の一例を模式的に例示する。第１実施形態に係るアイソレータ１は、電圧の入力を絶縁し、出力信号の取り込み、複数チャンネルでの使用等の際の制限条件を緩和するために、電子基盤上に搭載された電子回路に組み込まれる。
【００１５】
図１の例では、アイソレータ１は、入力側から順に、第１フォトカプラ１１、オペアンプ１２、及び第２フォトカプラ１３を備えている。
【００１６】
第１フォトカプラ１１は、発光素子１１１及び受光素子１１５を備えている。発光素子１１１は、例えば、発光ダイオードである。また、受光素子１１５は、例えば、フォトトランジスタである。発光素子１１１のアノード１１２及びカソード１１３にはそれぞれ抵抗（１４１、１４２）が接続している。これにより、第１フォトカプラ１１は、各抵抗（１４１、１４２）を介して発光素子１１１に入力信号が入力されるように構成されている。
【００１７】
オペアンプ１２は、一対の入力端子（１２１、１２２）及び出力端子１２３を備え、一対の入力端子（１２１、１２２）のうちの反転入力端子１２１に、第１フォトカプラ１１の受光素子１１５のエミッタ１１７が接続されるように構成されている。一方、非反転入力端子１２２には、グラント１５が接続されている。
【００１８】
なお、第１フォトカプラ１１の受光素子１１５のコレクタ１１６は、電源モジュール等で構成される電圧源に接続するための端子（以下、単に「電圧源の端子」とも称する）又はグラント（不図示）に接続することができる。また、オペアンプ１２は、一対の電源端子（不図示）を備え、各電源端子は、電圧源の端子又はグラントに接続することができる。
【００１９】
第２フォトカプラ１３は、発光素子１３１及び受光素子１３５を備えている。第１フォトカプラ１１と同様に、発光素子１３１は、例えば、発光ダイオードであり、受光素子１３５は、例えば、フォトトランジスタである。受光素子１３５のコレクタ１３６には、第１フォトカプラ１１の受光素子１１５のエミッタ１１７が接続されている。受光素子１３５のエミッタ１３７は、電圧源の端子又はグラントに接続することができる。一方、発光素子１３１のカソード１３３には、オペアンプ１２の出力端子１２３が接続されている。また、発光素子１３１のアノード１３２には、出力側の抵抗１６が接続されている。これにより、第２フォトカプラ１３は、発光素子１３１から出力信号が出力されるように構成される。
【００２０】
（特徴）
第１実施形態に係るアイソレータ１では、入力側の一対の抵抗（１４１、１４２）を介して第１フォトカプラ１１の発光素子１１１に入力信号が入力される。具体的には、発光素子１１１に順方向の電圧がかかる際に、入力信号に応じた電流が発光素子１１１に流れる。これに応じて、オペアンプ１２の仮想短絡の動作により、両フォトカプラ（１１、１３）の両受光素子（１１５、１３５）を均衡させるために、第２フォトカプラ１３の受光素子１３５側の抵抗１６に、第１フォトカプラ１１に流れる電流と同じ電流が流れる。したがって、第１実施形態に係るアイソレータ１によれば、２つのフォトカプラ（１１、１３）及びオペアンプ１２の作用により、第１フォトカプラ１１側の電圧の入力を絶縁しつつ、第２フォトカプラ１３の発光素子１３１側から入力信号と同じ出力信号を得ることができる。
【００２１】
このとき、２つのフォトカプラ（１１、１３）の受光素子（１１５、１３５）同士を接続することで、互いの特性を打ち消し合うように各フォトカプラ（１１、１３）を動作させることができる。そのため、第１実施形態によれば、中間の伝達特性を原理的に無視することができ、出力信号に生じ得る波形のひずみ及び温度ドリフトの影響を低減することができる。なお、この観点から、第１フォトカプラ１１と第２フォトカプラ１３とは同一の特性を有するのが好ましい。第１フォトカプラ１１と第２フォトカプラ１３とが同一の特性を有するとは、例えば、同一メーカの同一型番のフォトカプラを利用する、性能表記が同一のフォトカプラを利用する等、特性が同一であると判断可能な情報に基づいて選択されたフォトカプラを利用した状態を指す。なお、同一の特性を有する各フォトカプラは、同一のパッケージ（筐体、基板）に搭載されているのが好ましい。同一の特性を有する各フォトカプラが同一のパッケージに搭載されている場合、各フォトカプラの特性に大きな影響を与え得る温度環境が同じになり得る。これにより、温度環境による変化を互いに打ち消し合うようにすることができるため、出力信号に生じ得る波形のひずみ及び温度ドリフトの影響を低減することができる。
【００２２】
更に、一般的に、フォトカプラは非常に小型で安価な素子である。そのため、第１実施形態に係るアイソレータ１は、安価に作製することができ、かつ電子基盤等に搭載可能な程度に小型化することができる。したがって、第１実施形態によれば、電圧の入力を絶縁可能な小型で安価なアイソレータを提供することができる。
【００２３】
（変形例）
以上、本発明の第１実施形態を詳細に説明したが、前述までの説明はあらゆる点において本発明の例示に過ぎない。本発明の範囲を逸脱することなく種々の改良や変形を行うことができることは言うまでもない。すなわち、アイソレータ１の構成は、上記の例に限定されなくてもよい。例えば、オペアンプ１２の反転入力端子１２１及び第２フォトカプラ１３の受光素子１３５は、第１フォトカプラ１１の受光素子１１５のコレクタ１１６に接続されてよい。この場合、第１フォトカプラ１１の受光素子１１５のコレクタ１１６には、第２フォトカプラ１３の受光素子１３５のエミッタ１３７が接続される。
【００２４】
§２  第２実施形態
次に、図２を用いて、第２実施形態に係るアイソレータ２の構成について説明する。図２は、第２実施形態に係るアイソレータ２の構成の一例を模式的に例示する。上記第１実施形態に係るアイソレータ１では、第１フォトカプラ１１の発光素子１１１に逆方向の電圧がかかる場合には、出力信号が得ることができない。すなわち、交流信号を入力した場合には、アイソレータ１は、交流の半波だけを検出する。第２実施形態に係るアイソレータ２は、この半波検出のアイソレータ１を２つの回路部（２１、２２）として利用して、交流信号に対応させたものである。
【００２５】
アイソレータ２は、第１回路部２１、第２回路部２２、及び合成回路部２３を備える。第１回路部２１及び第２回路部２２はそれぞれ上記アイソレータ１と同様に構成される。また、合成回路部２３は、第１回路部２１からの出力信号及び第２回路部２２からの出力信号を合成するように構成される。すなわち、アイソレータ２では、第１回路部２１及び第２回路部２２によりそれぞれ半波ずつ検出し、検出した各半波を合成回路部２３により合成することで、入力信号である交流信号と同じ出力信号を合成回路部２３の出力として得ることができる。以下、各構成要素について説明する。
【００２６】
（第１回路部）
まず、第１回路部２１について説明する。第１回路部２１は、上記アイソレータ１とほぼ同様に構成される。図２の例では、第１回路部２１は、第１フォトカプラ２１１、オペアンプ２１２、及び第２フォトカプラ２１３を備えている。第１フォトカプラ２１１は、発光素子２１１１及び受光素子２１１２を備えている。オペアンプ２１２は、一対の入力端子、一対の電源端子、及び出力端子を備えている。また、第２フォトカプラ２１３は、発光素子２１３１及び受光素子２１３２を備えている。
【００２７】
上記アイソレータ１と同様に、第１フォトカプラ２１１の発光素子２１１１には入力信号が入力され、受光素子２１１２のエミッタは、オペアンプ２１２の反転入力端子及び第２フォトカプラ２１３の受光素子２１３２のコレクタに接続されている。また、オペアンプ２１２の出力端子は、第２フォトカプラ２１３の発光素子２１３１のカソードに接続されている。
【００２８】
更に、第１フォトカプラ２１１の受光素子２１１２のコレクタ、オペアンプ２１２の非反転入力端子、及びオペアンプ２１２の正電源端子は、電圧源の端子に接続されている。一方、第２フォトカプラ２１３の受光素子２１３２のエミッタ及びオペアンプ２１２の負電源端子は、グラントに接続されている。なお、ノイズ及び発振を抑えるために、オペアンプ２１２及び第２フォトカプラ２１３には、コンデンサ２１４及び抵抗２１５が並列に接続している。
【００２９】
（第２回路部）
次に、第２回路部２２について説明する。第２回路部２２は、第１回路部２１とほぼ同様に構成される。具体的には、第２回路部２２は、第１フォトカプラ２２１、オペアンプ２２２、及び第２フォトカプラ２２３を備えている。第１フォトカプラ２２１は、発光素子２２１１及び受光素子２２１２を備えている。オペアンプ２２２は、一対の入力端子、一対の電源端子、及び出力端子を備えている。また、第２フォトカプラ２２３は、発光素子２２３１及び受光素子２２３２を備えている。
【００３０】
第１フォトカプラ２２１の発光素子２２１１には入力信号が入力される。ここで、第２実施形態に係るアイソレータ２は、第１回路部２１及び第２回路部２２の各第１フォトカプラ（２１１、２２１）の発光素子（２１１１、２２１１）に、入力信号が互いに反転して入力されるように構成される。
【００３１】
図２の例では、アイソレータ２は、入力側の端子として入力コネクタ２０を備えており、入力コネクタ２０と各回路部（２１、２２）との間には一対の抵抗（２０１、２０２）が設けられている。第１回路部２１の第１フォトカプラ２１１の発光素子２１１１は、アノードが抵抗２０１に接続され、カソードが抵抗２０２に接続されるように構成される。一方、第２回路部２２の第１フォトカプラ２２１の発光素子２２１１は、カソードが抵抗２０１に接続され、アノードが抵抗２０２に接続されるように構成される。これにより、アイソレータ２は、第１回路部２１及び第２回路部２２の各第１フォトカプラ（２１１、２２１）の発光素子（２１１１、２２１１）に、入力信号が互いに反転して入力されるように構成される。
【００３２】
また、受光素子２２１２のコレクタは、オペアンプ２２２の反転入力端子及び第２フォトカプラ２２３の受光素子２２３２のエミッタに接続されている。オペアンプ２２２の出力端子は、第２フォトカプラ２２３の発光素子２２３１のアノードに接続されている。上記第１回路部２１と同様に、ノイズ及び発振を抑えるために、オペアンプ２２２及び第２フォトカプラ２２３には、コンデンサ２２４及び抵抗２２５が並列に接続されている。
【００３３】
更に、第１フォトカプラ２２１の受光素子２２１２のエミッタは、グラントに接続されている。一方、第２フォトカプラ２２３の受光素子２２３２のコレクタ、オペアンプ２２２の非反転入力端子、及びオペアンプ２２２の各電源端子は、電圧源の端子に接続されている。
【００３４】
（合成回路部）
次に、合成回路部２３について説明する。本実施形態では、合成回路部２３は、オペアンプにより構成されている。具体的には、合成回路部２３は、各回路部（２１、２２）からの出力のバッファとしてそれぞれ作用する一対のオペアンプ（２３１、２３２）と各出力を合成するオペアンプ２３３とを備えている。
【００３５】
バッファとして作用する一対のオペアンプ（２３１、２３２）のうち、オペアンプ２３１の非反転入力端子には、第１回路部２１の第２フォトカプラ２１３の発光素子２１３１のアノードが接続されている。また、オペアンプ２３２の非反転入力端子には、第２回路部２２の第２フォトカプラ２２３の発光素子２２３１のカソードが接続されている。これにより、各回路部（２１、２２）からの出力信号が合成回路部２３に入力される。
【００３６】
なお、各オペアンプ（２３１、２３２）の非反転入力端子は、各抵抗（２３１１、２３２１）を介して電圧源の端子に更に接続されている。各オペアンプ（２３１、２３２）の正電源端子は電圧源の端子に接続され、負電源端子はグラントに接続されている。各オペアンプ（２３１、２３２）の反転入力端子は出力端子に接続されている。各オペアンプ（２３１、２３２）の出力端子は、各抵抗（２３４、２３５）を介してオペアンプ２３３の反転入力端子に接続されている。
【００３７】
オペアンプ２３３は、各オペアンプ（２３１、２３２）の出力を合成する。オペアンプ２３３の反転入力端子は、抵抗２３３１を介して出力端子に接続している。オペアンプ２３３の非反転入力端子及び正電源端子は電圧源の端子に接続され、負電源端子はグラントに接続されている。オペアンプ２３３の出力端子は、出力コネクタ２４の端子に接続している。なお、図２の例では、出力コネクタ２４は、２ポジションコネクタであり、１つの端子は、グラントに接続されている。
【００３８】
（特徴）
第２実施形態に係るアイソレータ２は、上記アイソレータ１と同様の特徴を有する。また、第２実施形態に係るアイソレータ２によれば、入力コネクタ２０に接続される交流電源からの入力信号のうち、発光素子２１１１の順方向に流れる半波を第１回路部２１で検出し、発光素子２２１１の順方向に流れる半波を第２回路部２２で検出する。そして、各回路部（２１、２２）で検出した各半波を合成回路部２３で合成することで、出力コネクタ２４から入力信号と同波形の出力信号を得ることができる。したがって、第２実施形態によれば、波形ひずみ、温度ドリフト等の影響を低減した、交流源の電圧の入力を絶縁可能な小型で安価なアイソレータを提供することができる。
【００３９】
（変形例）
以上、本発明の第２実施形態を詳細に説明したが、前述までの説明はあらゆる点において本発明の例示に過ぎない。本発明の範囲を逸脱することなく種々の改良や変形を行うことができることは言うまでもない。すなわち、アイソレータ２の構成は、上記の例に限定されなくてもよい。例えば、合成回路部２３において、バッファとして作用する２つのオペアンプ（２３１、２３２）は省略されてもよい。この場合、各回路部（２１、２２）の出力がそのままオペアンプ２３３に入力されてもよい。
【００４０】
§３  実施例
以下、本発明の実施例について説明する。ただし、本発明はこの実施例に限定される訳ではない。
【００４１】
本発明のアイソレータの電気特性を調べるために、上記第２実施形態に係るアイソレータ２と同一の構成を有するアイソレータを実施例として作製した。実施例に係るアイソレータの各構成要素には、以下の電子部品を利用した。
【００４２】
＜各電子部品＞
・入力コネクタ：日本圧着端子製造株式会社製のコネクタ（型番：Ｂ３Ｂ−ＸＨ−Ａ）
・各フォトカプラ：東芝製のフォトカプラ（型番：ＴＬＰ６２１−２）
・各オペアンプ：新日本無線株式会社製のオペアンプ（型番：ＮＪＵ７０４３Ｄ）
・入力側の抵抗：１００Ｋ（Ω）の公知の抵抗
・各回路部の抵抗：４７（Ω）の公知の抵抗
・各コンデンサ：０．０１５μＦの公知のコンデンサ
・抵抗（２３１１、２３２１）：５００（Ω）の公知の抵抗
・抵抗（２３４、２３５、２３３１）：１０Ｋ（Ω）の公知の抵抗
・出力コネクタ：公知の２ポジションコネクタ
【００４３】
なお、各オペアンプの非反転入力端子は＋２．５Ｖの電圧源の端子に接続した。また、第２回路部のオペアンプの正電源端子は＋１５Ｖの電圧源の端子に接続し、負電源端子は−１５Ｖの電圧源の端子に接続した。その他は、＋５Ｖの電圧源の端子に接続した。
【００４４】
以上により作製した実施例に係るアイソレータの出力コネクタに、オシロスコープ（テクトロニクス製：ＴＤＳ３０１４Ｂ）を接続した。そして、アイソレータの入力コネクタに、スライダック及び昇圧トランス（１００Ｖ−２００Ｖ）を介して商用の電源（１００Ｖ）を接続し、入力コネクタからアイソレータに交流電圧を入力して、その際のアイソレータの出力をオシロスコープにより測定した。図３Ａは、その測定結果を示す。また、実施例に係るアイソレータは、上記により、２００Ｖの入力信号に対して１Ｖの出力信号を出力するように構成した。そこで、各入力信号に対して出力信号の誤差（出力変換誤差）を算出した。図３Ｂは、出力変換誤差の算出結果を示す。
【００４５】
また、ヒートガン（白光株式会社製：Ｎｏ．８８０Ｂ）、簡易恒温槽、放射温度計（ＡＲＴＥＣ社製：ＡＴ３００）、メモリハイロガー（日置電機社製：８４２１）、及び熱電対を更に利用して、実施例に係るアイソレータの温度ドリフトを試験した。図４Ａは、２７度、６５度、及び８５度それぞれの温度のときの入力電圧に対するアイソレータの出力電圧の測定結果を示す。また、図４Ｂは、出力変換誤差の算出結果を示す。
【００４６】
図３Ａ及び図３Ｂに示すとおり、実施例に係るアイソレータでは、出力変換誤差を０．５％以下に抑えることができることが分かった。また、図４Ａ及び図４Ｂに示すとおり、実施例に係るアイソレータでは、温度変化による影響を殆ど無視することができることが分かった。以上により、本発明によれば、波形ひずみ、温度ドリフト等の影響を低減した、電圧の入力を絶縁可能な小型で安価なアイソレータを作製することができることが分かった。
【符号の説明】
【００４７】
１…アイソレータ、
１１…第１フォトカプラ、
１１１…発光素子（発光ダイオード）、
１１２…アノード、１１３…カソード、
１１５…受光素子（フォトトランジスタ）、
１１６…コレクタ、１１７…エミッタ、
１２…オペアンプ、
１２１…反転入力端子、１２２…非反転入力端子、
１２３…出力端子、
１３…第２フォトカプラ、
１３１…発光素子、
１３２…アノード、１３３…カソード、
１３５…受光素子、
１３６…コレクタ、１３７…エミッタ、
１４１・１４２…抵抗、
１５…グラント、１６…抵抗、
２…アイソレータ、
２０…入力コネクタ、２０１・２０２…抵抗、
２１…第１回路部、
２１１…第１フォトカプラ、
２１１１…発光素子、２１１２…受光素子、
２１２…オペアンプ、
２１３…第２フォトカプラ、
２１３１…発光素子、２１３２…受光素子、
２１４…コンデンサ、２１５…抵抗、
２２…第２回路部、
２２１…第１フォトカプラ、
２２１１…発光素子、２２１２…受光素子、
２２２…オペアンプ、
２２３…第２フォトカプラ、
２２３１…発光素子、２２３２…受光素子、
２２４…コンデンサ、２２５…抵抗、
２３…合成回路部、
２３１…オペアンプ、２３１１…抵抗、
２３２…オペアンプ、２３２１…抵抗、
２３４・２３５…抵抗、
２３３…オペアンプ、２３３１…抵抗、
２４…出力コネクタ
【図１】
2019022042.tif 000003
【図２】
2019022042.tif 000004
【図３Ａ】
2019022042.tif 000005
【図３Ｂ】
2019022042.tif 000006
【図４Ａ】
2019022042.tif 000007
【図４Ｂ】
2019022042.tif 000008